(57)【要約】【課題】計装システムの制御機能構築を容易とする制御用端子の自動割付装置を提供する。【解決手段】計装システムのループ制御機能構築時に必要なループ制御を生成するループ制御生成装置と、ループ制御に使用する演算ブロックを構築する演算ブロック生成装置と、計器区分信号割付範囲指定情報記憶装置に格納されている情報から、計器名称に関連する入力、出力区分の信号割付を生成する計器区分情報生成装置と、演算ブロックに関する信号区分の定義をする演算ブロック定義情報記憶装置と、前記演算ブロック生成装置により生成された制御信号の割付情報を記憶する制御信号割付情報記憶装置と、前記計器区分情報生成装置により生成された、ユーザ指定の計器区分情報を記憶する計器区分信号割付範囲指定情報記憶装置とを備える。【選択図】図１
2010282454.tif 000002
【特許請求の範囲】
【請求項１】
演算ブロック生成装置と計器区分情報生成装置を用いて計装システムのループ制御機能構築時に使用するループ制御演算制御機能を構築するループ制御生成装置を有し、プロセス制御を行う計装システムの制御情報管理装置において、
前記制御情報管理装置はさらに、演算ブロックに関する信号区分の定義をする演算ブロック定義情報記憶装置と、制御信号の割付情報を有する制御信号割付情報記憶装置と計器区分信号の割付情報を有する計器区分信号割付範囲指定情報記憶装置を有し、
前記演算ブロック生成装置は前記演算ブロック定義情報記憶装置と前記制御信号割付情報記憶装置に格納されている情報から演算ブロックを生成し、
前記計器区分情報生成装置は前記計器区分信号割付範囲指定情報記憶装置に格納されている情報から、計器名称に関連する入力、出力区分の信号割付を生成し、
前記制御信号割付情報記憶装置はさらに前記演算ブロック生成装置により生成された制御信号の割付情報を記憶し、前記計器区分信号割付範囲指定情報記憶装置は前記計器区分情報生成装置により生成されたユーザ指定の計器区分情報を記憶することを特徴とする計装システムの制御情報管理装置。
【請求項２】
請求項１記載の計装システムの制御情報管理装置において、前記ループ制御生成装置は、ループ制御をタグ単位で扱うためのタグＮｏ.と、タグＮｏ.の簡易説明としてのコメントと、タグＮｏ.ごとに割付を可能とした計器名称を有する基本情報を生成することを特徴とする計装システムの制御情報管理装置。
【請求項３】
請求項１または２記載の計装システムの制御情報管理装置において、前記演算ブロック定義情報記憶装置は、演算ブロックの入出力区分で使用する信号に関する情報を記憶した演算ブロック定義情報テーブルを有し、前記制御信号割付情報記憶装置は各演算ブロックが使用している制御信号を入出力別かつ信号種別ごとに割り当てられた情報を記憶した制御信号割付テーブルを有し、前記計器区分信号割付範囲指定情報記憶装置は、各演算ブロックで使用する制御信号の範囲とスケールおよび単位を割り当てた情報を記憶した計器区分信号割付範囲指定テーブルを有し、これら各テーブルが計器名称によってリンクされていることを特徴とする計装システムの制御情報管理装置。
【請求項４】
請求項３記載の計装システムの制御情報管理装置において、前記演算ブロック定義情報テーブルには、演算ブロック名称、各信号の入力区分、各信号の出力区分が記憶され、前記計器区分信号割付範囲指定テーブルには、計器名称、各信号の入力区分有効範囲、各信号の出力区分有効範囲、スケール、単位が記憶され、前記制御信号割付テーブルには、各信号番号、使用ファンクション番号が記憶されていることを特徴とする計装システムの制御情報管理装置。
【請求項５】
請求項１乃至４のいずれか１項に記載の計装システムの制御情報管理装置において、前記計器区分情報生成装置は、計器名称と入出力信号の割付信号有効範囲とスケール、単位を組み合わせて制御信号の自動割付を可能としたことを特長とする計装システムの制御情報管理装置。
【発明の詳細な説明】
【技術分野】
【０００１】
本発明は、ＰＩＤ制御、プロセス制御、プロセス状態監視等を行う計装システムの制御情報管理装置に関し、特に制御情報管理装置の制御機能構築時における制御用端子の自動割付技術に関する。
【背景技術】
【０００２】
従来、計装システムの制御情報管理装置の制御機能を構築する際における制御用端子の登録において、ユーザは、計装システムに使用する制御用端子の名称の識別や、端子番号が他の制御で使用していないか等の判断を、キーイン中もしくはエンジニアリングシートを見ながらこれらと同時に行う必要がある。したがって、計装システムの制御機能構築時にこれらを確認して登録することは、動作テストの際にバグを生み出す原因となっていた。
【０００３】
また、特許文献１には、システム制御仕様からプラントシステムで使用する入出力機器の情報を読み取り、自動的にプラントシステムの入出力割付情報を作成するプラントシステム自動生成装置が開示されている。
【先行技術文献】
【特許文献】
【０００４】
【特許文献１】特開平３−２４６７０５号公報
【発明の概要】
【発明が解決しようとする課題】
【０００５】
上記従来技術は、ユーザ自身が使用する制御用端子の名称を識別し、端子番号が上限内に収まっているかなどを判断して登録する必要があり、ユーザに対して煩雑で手間のかかる作業を強いてきた。特に、制御装置の種類やメーカが変わると、制御用端子の名称や、端子番号の上限範囲などを新たに確認して登録しなければならず、ユーザにとっては大変な時間と労力を要していた。また、従来のプラントシステム自動生成装置ではその構成が非常に複雑になり、コストアップにつながるとともに自動割付生成のため柔軟なシステム設計を行いにくいという問題がある。
【０００６】
本発明の目的は、計装システムの制御情報管理装置において、簡潔な構成で制御機能構築時に使用する制御用端子の登録を容易にする制御情報管理装置を提供することにある。
【課題を解決するための手段】
【０００７】
本発明によれば、演算ブロック生成装置と計器区分情報生成装置を用いて計装システムのループ制御機能構築時に使用するループ制御演算制御機能を構築するループ制御生成装置を有し、プロセス制御を行う計装システムの制御情報管理装置において、
前記制御情報管理装置はさらに、演算ブロックに関する信号区分の定義をする演算ブロック定義情報記憶装置と、制御信号の割付情報を有する制御信号割付情報記憶装置と計器区分信号の割付情報を有する計器区分信号割付範囲指定情報記憶装置を有し、
前記演算ブロック生成装置は前記演算ブロック定義情報記憶装置と前記制御信号割付情報記憶装置に格納されている情報から演算ブロックを生成し、
前記計器区分情報生成装置は前記計器区分信号割付範囲指定情報記憶装置に格納されている情報から、計器名称に関連する入力、出力区分の信号割付を生成し、
前記制御信号割付情報記憶装置はさらに前記演算ブロック生成装置により生成された制御信号の割付情報を記憶し、前記計器区分信号割付範囲指定情報記憶装置は前記計器区分情報生成装置により生成されたユーザ指定の計器区分情報を記憶することを特徴とする。
【０００８】
また、計装システムの制御情報管理装置において、前記ループ制御生成装置は、ループ制御をタグ単位で扱うためのタグＮｏ.と、タグＮｏ.の簡易説明としてのコメントと、タグＮｏ.ごとに割付を可能とした計器名称を有する基本情報を生成することを特徴とする。
【０００９】
また、計装システムの制御情報管理装置において、前記演算ブロック定義情報記憶装置は、演算ブロックの入出力区分で使用する信号に関する情報を記憶した演算ブロック定義情報テーブルを有し、前記制御信号割付情報記憶装置は各演算ブロックが使用している制御信号を入出力別かつ信号種別ごとに割り当てられた情報を記憶した制御信号割付テーブルを有し、前記計器区分信号割付範囲指定情報記憶装置は、各演算ブロックで使用する制御信号の範囲とスケールおよび単位を割り当てた情報を記憶した計器区分信号割付範囲指定テーブルを有し、これら各テーブルが計器名称によってリンクされていることを特徴とする。
【００１０】
また、計装システムの制御情報管理装置において、前記演算ブロック定義情報テーブルには、演算ブロック名称、各信号の入力区分、各信号の出力区分が記憶され、前記計器区分信号割付範囲指定テーブルには、計器名称、各信号の入力区分有効範囲、各信号の出力区分有効範囲、スケール、単位が記憶され、前記制御信号割付テーブルには、各信号番号、使用ファンクション番号が記憶されていることを特徴とする。
【００１１】
さらに、計装システムの制御情報管理装置において、前記計器区分情報生成装置は、計器名称と入出力信号の割付信号有効範囲とスケール、単位を組み合わせて制御信号の自動割付を可能としたことを特徴とする。
【発明の効果】
【００１２】
本発明は、演算ブロック生成装置と計器区分情報生成装置を用いて計装システムのループ制御機能構築時に使用するループ制御演算制御機能を構築するループ制御生成装置を有し、プロセス制御を行う計装システムの制御情報管理装置において、演算ブロックに関する信号区分の定義をする演算ブロック定義情報記憶装置と、制御信号の割付情報を有する制御信号割付情報記憶装置と計器区分信号の割付情報を有する計器区分信号割付範囲指定情報記憶装置を設け、ループ制御生成装置によりループ制御を構築する際に機能相互間のリファレンステーブルを導入して、ユーザが効率よく誤りの少ない作業を行えるように自動割付を可能にしたものである。さらにアナログ、デジタルの入出力端子や中間端子の情報を登録するＧＵＩ入力画面に上記機能相互間のリファレンステーブルを導入して、自動割付を可能にしている。
【図面の簡単な説明】
【００１３】
【図１】本発明の実施形態の全体構成を示すブロック図である。
【図２】ループ制御生成装置のタグ一覧画面の説明図である。
【図３】演算ブロック生成装置の演算ブロック登録画面の説明図である。
【図４】演算ブロック登録画面と各テーブルの関係を示す説明図である。
【図５】計器区分信号割付範囲指定情報記憶装置の計器区分情報登録画面の説明図である。
【図６】演算ブロック定義情報記憶装置の演算ブロック定義情報テーブルの説明図である。
【図７】制御信号割付情報記憶装置の制御信号割付テーブルの説明図である。
【図８】本発明の制御情報管理装置を用いる分散型デジタル計装システムの全体構成図である。
【図９】本発明の実施例を示す説明図である。
【図１０】本発明の実施例を示す説明図である。
【発明を実施するための形態】
【００１４】
以下、本発明の実施形態について、図を用いて説明する。図１は本発明の制御情報管理装置の全体構成を示す。ループ制御生成装置１０は、計装システムの演算制御機能構築時に使用するループ制御を生成し、これは演算ブロック生成装置２０と計器区分情報生成装置３０によって実行される。
【００１５】
演算ブロック生成装置２０は、計装システムの演算制御機能構築時に使用する演算ブロックを生成し、これは演算ブロック定義情報記憶装置４０と制御信号割付情報記憶装置５０に格納されている情報により実行される。演算ブロック定義情報記憶装置４０は演算ブロックに関する信号区分の定義をする。制御信号割付情報記憶装置５０は演算ブロック生成装置２０により生成された制御信号の割付情報を記憶する。
【００１６】
計器区分情報生成装置３０は、計器区分信号割付範囲指定情報記憶装置６０に格納されている情報から、計器名称に関連する入力、出力区分の信号割付を生成する。計器区分信号割付範囲指定情報記憶装置６０は計器区分情報生成装置３０により生成されたユーザ指定の計器区分情報を記憶する。
【００１７】
次に上記各装置の具体的な機能について詳細に説明する。
（１）ループ制御生成装置
図２は計装システムの表示装置に示されたループ制御生成装置１０のタグ一覧画面１０１を示す。ループ制御生成装置１０は、ループ制御をタグＮｏ.単位で実行するための基本情報を構築する。基本情報は、タグＮｏ.、コメント、計器名称で構成される。
【００１８】
図２において、タグ一覧画面１０１を構成する「タグＮｏ.」は、ループ制御をタグ単位で扱うためのタグの名称を意味し、「コメント」は、ループ制御の簡易説明を表す。
【００１９】
また、「計器名称」は、制御対象である計器または変量の種類を示し、タグＮｏ.ごとに割付可能とし、後述する計器区分情報登録画面で様々な種類を登録可能とする。計器名称の登録は、タグ一覧画面１０１の右端の計器名称欄から該当する計器名称をドラッグ＆ドロップすることで登録できる。新たに作成した計器名称を追加するには、計器区分情報登録ボタン１０２をクリックして、計器区分情報登録画面から登録する。また、演算ブロック登録ボタン１０３をクリックすると、演算ブロック登録画面を表示する。
（２）演算ブロック生成装置
図３はループ制御生成装置１０の有するタグ一覧画面１０１と、演算ブロック生成装置２０の有する演算ブロック登録画面２０１を示す。図３において、演算ブロック生成装置２０は、ループ制御生成装置１０のタグ一覧画面１０１で登録した情報１１をもとに、演算ブロック登録画面２０１を用いて、様々な演算ブロックを配置することにより演算制御機能を構築していく。
【００２０】
演算ブロック登録画面２０１は、様々な演算を可能とする「演算ブロック名称」欄と、入出力エリアを有する「ブロック登録エリア」で構成される。「ブロック登録エリア」に「演算ブロック名称」欄から該当演算ブロックをドラッグ＆ドロップすることにより演算ブロック登録処理２１が起動する。
【００２１】
図４は、演算ブロック登録処理２１と演算ブロック登録時に用いられる各種テーブルの関係を示す説明図である。
【００２２】
演算ブロック登録処理２１は、演算ブロック登録画面２０１のブロック登録エリアに演算ブロック名称欄から任意の演算ブロックを選択して配置した場合の処理を示す。ブロック登録エリアに演算ブロックを配置すると、演算ブロック登録処理２１により図４に示す計器区分信号割付範囲指定テーブル６１から計器名称が一致する計器を探し出す。
【００２３】
ループ制御生成装置１０のタグ一覧画面１０１で登録した計器名称は「電流」区分であり、この場合に計器区分信号割付範囲指定テーブル６１上では、入力用として、AI信号をAI0051からAI0055まで、DI信号をDI0181からDI0200まで、出力用として、AO信号をAO0041からAO0050まで使用するように割付範囲が指定される。
【００２４】
次に、図４において、演算ブロック定義情報テーブル４１から演算ブロック登録画面２０１のブロック登録エリアに配置した演算ブロックの入出力区分情報を参照して、割付ける信号の種類と使用点数をもとに、ブロック登録エリアの入出力欄に制御信号を表示する。図４の処理において、例えば演算ブロック名称「一般入力処理演算器」は、演算ブロック定義情報テーブル４１の入力用としてAI信号を２点、DI信号を２点、出力用としてAO信号を１点使用するよう定義されている。
【００２５】
これらの情報をもとに、本処理はブロック登録エリア上の「一般入力処理演算器」の入力項目に入力信号としてAI0051、AI0052、DI0181、DI0182を登録し、出力信号としてAO0041を登録する。
【００２６】
次に、登録した信号情報が「一般入力処理演算器」で使用中であることを示すために、制御信号割付テーブル５１に対して使用ＦＮｏ.を設定する。入力信号としてAI0051、AI0052、DI0181、DI0182を、出力信号としてAO0041を使用したので、制御信号割付テーブル５１のＡＩ信号欄「AI0051」と「AI0052」、DI信号欄「DI0181」と「DI0182」、AO信号欄「AO0041」のそれぞれに、「一般入力処理演算器」の使用ＦＮｏ.である「３」を設定する。これにより、「一般入力処理演算器」で使用している信号が他の演算ブロックから使用中であることが判明するため、使用信号の重複が起こらなくなる。
（３）計器区分情報生成装置
計器区分情報生成装置３０では、図５に示す計器区分情報登録画面６０１を使用して「計器名称」、「割付信号範囲（入力信号）」、「割付信号範囲（出力信号）」、「スケール範囲」の登録を行う。
【００２７】
「計器名称」は、タグＮｏ.ごとに割付可能とし、計器区分情報登録画面で様々な種類を登録可能とする。
【００２８】
「割付信号範囲（入力信号）」は、計器で使用する入力信号の有効範囲を登録する。有効範囲は、開始番号と終了番号を登録する形式になっており、開始番号は終了番号に対して開始番号≦終了番号でなければならない。登録する信号は他の計器名称と重なっていても構わない。登録範囲は１点からシステムでサポートしている最大点数まで可能である。登録可能な信号種別は、アナログ入力信号のAI信号、アナログ中間信号のGS信号、デジタル入力信号のDI信号、デジタル中間信号のIN信号である。
【００２９】
「割付信号範囲（出力信号）」は、計器で使用する出力信号の有効範囲を登録する。有効範囲は、入力信号同様に開始番号と終了番号を登録する形式になっており、開始番号は終了番号に対して開始番号≦終了番号でなければならない。登録する信号は他の計器名称と重なっていても構わない。登録範囲は１点からシステムでサポートしている最大点数まで可能である。登録可能な信号種別は、アナログ出力信号のAO信号、アナログ中間信号のGS信号、デジタル出力信号のDO信号、デジタル中間信号のIN信号である。
【００３０】
「スケール範囲」は、計器で使用するスケールの上下限値を登録する。単位は、計器に該当する単位を登録する。
（４）演算ブロック定義情報記憶装置
演算ブロック定義情報記憶装置４０は演算ブロック定義情報テーブル４１を有し、各演算ブロックで異なる入力区分、出力区分の信号定義情報を保存する。
【００３１】
図６において、演算ブロック定義情報テーブル４１は、演算ブロック生成装置２０で使用するすべての演算ブロック情報を記憶しており、「ＦＮｏ.」、「演算ブロック名称」、「入力区分AI/GS/DI/IN」、「出力区分AO/GS/DO/IN」の項目で構成される。
【００３２】
演算ブロック定義情報テーブル４１における「ＦＮｏ.」は、演算ブロックの種別番号を、「演算ブロック名称」は、演算ブロックを識別する名称を、「入力区分」は演算ブロックに入力する制御信号の種類と演算ブロックで使用する信号数を、「出力区分」は演算ブロックから出力する制御信号の種類と演算ブロックで使用する信号数をそれぞれ示す。
（５）制御信号割付情報記憶装置
制御信号割付情報記憶装置５０は制御信号割付テーブル５１を有し、演算ブロック生成装置２０で登録された各演算ブロックが使用する制御信号を入出力別かつ、信号種別ごとに割り当てた情報を保存する。
【００３３】
図７において、制御信号割付テーブル５１は、演算ブロック生成装置２０に登録した演算ブロックが使用する制御信号に該当する演算ブロックＮｏ.を記憶し、これは各制御信号ごとに存在する。制御信号割付テーブル５１は、各種信号番号に対応する「使用ＦＮｏ.」の項目を記憶可能である。「使用ＦＮｏ.」は、演算ブロック定義情報記憶装置４０の「演算ブロック名称」に該当する「ＦＮｏ.」を記憶する。制御信号割付テーブル５１における「NO」は、各種信号のナンバリングを、「各種（AI/GS/DI/IN/AO/DO）信号」は、アナログ入力信号、アナログ中間信号、デジタル入力信号、デジタル中間信号、アナログ出力信号、デジタル出力信号の範囲番号を、「使用ＦＮｏ.」は、制御信号を使用する演算ブロックＮｏ.をそれぞれ示す。
（６）計器区分信号割付範囲指定情報記憶装置
計器区分信号割付範囲指定情報記憶装置６０は計器区分信号割付範囲指定テーブル６１を有し、計器区分情報生成装置３０で登録した情報をもとに、演算ブロック生成装置２０で登録された各演算ブロックが使用する制御信号の範囲を割り当てた情報を保存する。
【００３４】
図５において、６０１は計数区分情報登録画面であり、計器名称欄、割付信号範囲（入力信号）欄、割付信号範囲（出力信号）欄、スケール範囲欄、及び適用ボタン６０２、ＯＫボタン６０３、キャンセルボタン６０４を持つ。
【００３５】
計器区分信号割付範囲指定テーブル６１は、演算ブロック生成装置２０に登録した演算ブロックが入出力信号として使用する制御信号の範囲を記憶し、「計器名称」、「入力区分AI開始終了範囲」、「入力区分GS開始終了範囲」、「入力区分DI開始終了範囲」、「入力区分IN開始終了範囲」、「出力区分AO開始終了範囲」、「出力区分GS開始終了範囲」、「出力区分DO開始終了範囲」、「出力区分IN開始終了範囲」、「スケール」、「単位」の項目を記憶可能である。
【００３６】
計器区分信号割付範囲指定テーブル６１における「計器名称」は、ユーザ指定による計器区分生成装置３０で登録する計器区分の名称を、「入力区分AI開始終了範囲」「入力区分GS開始終了範囲」は、演算ブロックのアナログ入力信号として使用する場合の有効範囲を示す。
【００３７】
「入力区分DI開始終了範囲」「入力区分IN開始終了範囲」は、演算ブロックのデジタル入力信号として使用する場合の有効範囲を、「出力区分AO開始終了範囲」「出力区分GS開始終了範囲」は、演算ブロックのアナログ出力信号として使用する場合の有効範囲を、「出力区分DO開始終了範囲」「出力区分IN開始終了範囲」は、演算ブロックのデジタル出力信号として使用する場合の有効範囲をそれぞれ示す。
【００３８】
「スケール」は、ユーザ指定による計器区分生成装置３０で登録する計器スケールの範囲を、「単位」は、ユーザ指定による計器区分生成装置３０で登録する計器単位の名称をそれぞれ示す。
【実施例】
【００３９】
以下、本発明の実施例を、割付作業の手順に従って図８〜図１０を参照して説明する。
【００４０】
図８は、本発明の実施例である制御情報管理装置を用いる分散型デジタル計装システムの全体構成図である。プラント制御装置１１０は、タンク１２０に流れ込む流体、例えば油の流量をセンサである流量計１２２、１２４により検出し、流量計１２２、１２４からの検出信号を取り込む。流量計１２２、１２４によって検出された、タンク１２０に流れ込んだ油の総量が所定量になると、プロセスバルブ１２６に制御信号を出力して、プロセスバルブ１２６を開いて、タンク１２０から他のタンクに油を流出させる。実際のプラントはさらに大規模であり、ジャケット付きのリアクターやポンプや開度制御の可能なコントロールバルブなどから構成されるが、ここではその図示は省略してある。
【００４１】
前述したようなループ制御は、運転操作卓１５０上で表示装置等のＧＵＩを用いてユーザにより構築される。本実施例の制御情報管理装置は、運転操作卓１５０内に設けたコンピュータハードウェア上で作動するコンピュータプログラムを含んで構成することができる。
【００４２】
ループ制御の構築方法は、ユーザが始めに図９に示すようにタグ一覧画面１０１から計器名称登録画面６０１を呼び出し、ユーザ計器の条件を作成する。作成する項目は、計器名称、割付信号範囲の開始信号と終了信号、スケール範囲の上下限および単位である。
【００４３】
計器名称に「電流」を設定する。次いで、割付信号範囲（入力信号）のＡＩ信号開始番号に「51」を、終了番号に「55」を、ＤＩ信号開始番号に「181」を、終了番号に「200」を設定する。さらに、割付信号範囲（出力信号）のＡＯ信号開始番号に「41」を、終了番号に「50」を設定する。最後にスケール範囲の下限に「0.0」を、上限に「60.0」を、単位に「Ａ」を設定する。
【００４４】
ＯＫボタン６０３を押すと、タグ一覧画面１０１の計器名称項目に「電流」が表示される。それから、計器区分信号割付範囲指定テーブル６１の空きエリアに情報が設定される。
【００４５】
設定される情報は、計器名称=電流、入力区分（ＡＩ範囲）=51/55、入力区分（ＤＩ範囲）=181/200、出力区分（ＡＯ範囲）=41/60、スケール=0.0/60.0、単位=Ａである。
【００４６】
次に、図１０に示すようにタグ情報の登録および演算ブロックの登録を実施する。タグ情報の登録では、タグ一覧画面１０１上でタグＮｏ.、タグコメント、計器名称を登録する。計器名称は、計器区分情報登録画面で登録した計器区分から選択する。先程、登録した電流の計器区分を使用するには、計器名称一覧項目から電流を選択して、計器名称項目にドラッグ＆ドロップする。
【００４７】
次に、図３〜図６ですでに説明したように、演算ブロック登録画面２０１を表示して制御演算を構成する計器の構成を作成する。計器の構成は、演算ブロック登録画面２０１の演算ブロック名称欄から該当する演算ブロックをブロック登録エリアに配置することで可能となる。
【００４８】
演算ブロックをブロック登録エリアに配置すると、電流の計器区分に登録されている情報をもとに演算ブロック登録画面の入出力エリアに対して信号が自動的に割付けられる。
【符号の説明】
【００４９】
１０  ループ制御生成装置
２０  演算ブロック生成装置
２１  演算ブロック登録処理
３０  計器区分情報生成装置
４０  演算ブロック定義情報記憶装置
４１  演算ブロック定義情報テーブル
５０  制御信号割付情報記憶装置
５１  制御信号割付テーブル
６０  計器区分信号割付範囲指定情報記憶装置
６１  計器区分信号割付範囲指定テーブル
【図１】
2010282454.tif 000003
【図２】
2010282454.tif 000004
【図３】
2010282454.tif 000005
【図４】
2010282454.tif 000006
【図５】
2010282454.tif 000007
【図６】
2010282454.tif 000008
【図７】
2010282454.tif 000009
【図８】
2010282454.tif 000010
【図９】
2010282454.tif 000011
【図１０】
2010282454.tif 000012